(57)【要約】      （修正有）【課題】誤作動が起き難い、携帯型緊急通報装置および携帯型報知装置の提供。【解決手段】防犯ブザーＡは、筐体１の外壁の一部を窪ませ、この凹部１１の奥に釦２１が臨む様にスイッチ２を筐体１内へ配設している。そして、指３の押下で破ることができる紙製の誤押防止膜４の下面縁４１を、窪み近傍の筐体表面に接着して凹部１１を塞いでいる。所有者が、痴漢、ひったくり、暴漢等に遭遇した場合（緊急時）には、凹部１１内へ指３を入れて押下し、誤押防止膜４を破って破壊し、スイッチ２の釦２１を指３で押圧する。これにより、スイッチ２の電気接点が閉成するため、大きな警報音が筐体１から発せられる。【選択図】図１
0003141271.tif 000002
【実用新案登録請求の範囲】
【請求項１】
筐体に配設したスイッチの釦を押圧すると電気接点が閉成して、緊急通報信号を無線送信したり、警報音を筐体内から発する携帯型緊急通報装置であって、
前記筐体の外壁の一部を窪ませ、この窪みの奥に前記釦が臨む様に前記スイッチを筐体内へ配設するとともに、
指の押下で破壊可能な強度を有するシート状の誤押防止具の下面縁を、窪み近傍の筐体表面に接着して前記窪みを塞いだことを特徴とする携帯型緊急通報装置。
【請求項２】
筐体に配設したスイッチの釦を押圧すると電気接点が閉成して、緊急通報信号を無線送信したり、警報音を筐体内から発する携帯型緊急通報装置であって、
前記筐体の外壁の一部を窪ませ、この窪みの奥に前記釦が臨む様に前記スイッチを筐体内へ配設するとともに、
指の押下で破壊可能な強度を有し、紙、ビニール、またはゴムからなる平面状の誤押防止具の下面縁を、窪み近傍の筐体表面に接着して前記窪みを塞いだことを特徴とする携帯型緊急通報装置。
【請求項３】
紐の先端に取り付けた前記絶縁ピンを筐体に設けたピンプラグ孔から引く抜くと、ピンプラグ孔奥に配設したスイッチの電気接点が閉成して、筐体内から警報音を発する携帯型報知装置であって、
鍔部および細棒部からなるピン抜け防止具の前記細棒部が挿入可能な挿入孔をピンプラグ孔近傍の筐体面に設け、
前記ピンプラグ孔へ前記絶縁ピンを嵌入した後に、前記細棒部を前記紐へ貫通させて前記挿入孔へ挿入し、前記鍔部で紐表面を押さえることを特徴とする携帯型報知装置。
【請求項４】
紐の先端に取り付けた前記絶縁ピンを筐体に設けたピンプラグ孔から引く抜くと、ピンプラグ孔奥に配設したスイッチの電気接点が閉成して、筐体内から警報音を発する携帯型報知装置であって、
溝開口が前記紐より小さい台形凹溝をピンプラグ孔近傍の筐体面に設け、
前記ピンプラグ孔へ前記絶縁ピンを嵌入した後に、台形凹溝内へ前記紐を通して挟持させることを特徴とする携帯型報知装置。
【請求項５】
紐の先端に取り付けた前記絶縁ピンを筐体に設けたピンプラグ孔から引く抜くと、ピンプラグ孔奥に配設したスイッチの電気接点が閉成して、筐体内から警報音を発する携帯型報知装置であって、
前記ピンプラグ孔へ前記絶縁ピンを嵌入した後に、
前記紐を筐体表面へ臨ませた状態で、粘着シートにより前記紐を前記筐体表面へ固定することを特徴とする携帯型報知装置。
【考案の詳細な説明】
【技術分野】
【０００１】
本考案は、緊急時にスイッチの釦を押圧して通報する携帯型緊急通報装置、および紐を引くと警報音が出る携帯型報知装置に関する。
【背景技術】
【０００２】
近年、工作員等による拉致、女子児童の誘拐、変質者による痴漢、子供の連れ去り等の事犯が急増しているため、これを防止するための防犯装置が色々、販売されている。
また、寝たきり老人等の要介護者が体調不良に陥った場合に、医療機関等へ緊急支援を要請するための通報装置も販売されている。
【０００３】
ボタン押圧方式の携帯型緊急通報装置は、筐体に配設した押しボタンスイッチを使用者が手で押圧するとスイッチ接点が閉成して、緊急通報信号が無線送信され、警報音が筐体内から発する構造である。
例えば、特許文献１の携帯用警報器では、痴漢に遭った被害者が電源スイッチのボタンを押圧すると、痴漢が嫌悪する言葉を電子音で発声させている。
【０００４】
また、紐を引っ張る方式の携帯用警報器は、ピンプラグ孔からピンを引き抜くと、スイッチの接点が閉成して、筐体内から警報音を発する構造である。
例えば、特許文献２の防犯装置では、脱着用器具が穴から抜いて取り外されると、スイッチが導通し大きな音響を発生させていいる。
【特許文献１】実用新案登録第３０３３７０７号
【特許文献２】特開平１１−２７６２０９号
【考案の開示】
【考案が解決しようとする課題】
【０００５】
ボタン押圧方式では、押しボタンスイッチを緊急時に使用者が簡単に押せるという利点があるが、誤押する状態が多発していた。例えば、押圧１ｋｇで接点が閉成する様に設計してあっても、通報装置をポケットやカバンや机の中に入れておくと、歩行や開閉等の際に、押しボタンスイッチに同包物体が当ると押圧力が１ｋｇを越えてスイッチ接点が閉成してしまう。
一度、誤報が起きると、看護士の出動が無駄になったり、回りにいる人を動揺させて迷惑をかけてしまう。また、電池寿命の短縮を招く。
【０００６】
また、紐を引っ張る方式では、緊急時には紐を引っ張って警報音を鳴らすことができるものの、他の物体や手が紐に引っかかると、ピンが簡単に抜けてしまう。
一度、警報音が鳴ると、近傍にいる人が痴漢と間違われたりして迷惑をかけてしまう。また、電池寿命の短縮を招く。
【０００７】
本考案の目的は、誤作動が起き難い、携帯型緊急通報装置および携帯型報知装置の提供にある。
【課題を解決するための手段】
【０００８】
〔請求項１について〕
携帯型緊急通報装置は、筐体の外壁の一部を窪ませ、この窪みの奥に釦が臨む様にスイッチを筐体内へ配設している。そして、指の押下で破壊可能な強度を有するシート状の誤押防止具の下面縁を、窪み近傍の筐体表面に接着して窪みを塞いでいる。
緊急時には、窪み内へ指を入れて押下し、シート状の誤押防止具を破って破壊し、スイッチの釦を指で押圧する。
スイッチの電気接点が閉成するため、緊急通報信号が無線送信されたり、警報音が筐体内から発せられる。
【０００９】
携帯型緊急通報装置は、シート状の誤押防止具を破って破壊しないとスイッチの釦が押せないため、緊急時以外のスイッチの電気接点の閉成を防止でき、誤作動を防ぐことができる。
携帯型緊急通報装置をポケットやカバンや机の中に入れて携帯する場合、歩行や開閉等の際に、誤押防止具に他の携帯物品が当たっても、誤押防止具が容易に破れないため、スイッチの釦が押圧されない。
なお、緊急時には、シート状の誤押防止具を指で破って破壊すれば、スイッチの釦を指で押圧して通報することができる。
【００１０】
〔請求項２について〕
携帯型緊急通報装置は、筐体の外壁の一部を窪ませ、この窪みの奥に釦が臨む様にスイッチを筐体内へ配設している。そして、指の押下で破壊可能な強度を有し、紙、ビニール、またはゴムからなる平面状の誤押防止具の下面縁を、窪み近傍の筐体表面に接着して窪みを塞いでいる。
緊急時には、窪み内へ指を入れて押下し、紙、ビニール、またはゴムからなる平面状の誤押防止具を破って破壊し、スイッチの釦を指で押圧する。
スイッチの電気接点が閉成するため、緊急通報信号が無線送信されたり、警報音が筐体から発せられる。
【００１１】
携帯型緊急通報装置は、誤押防止具を破って破壊しないとスイッチの釦が押せないため、緊急時以外にスイッチの電気接点が閉成し難く、誤作動を防止できる。
携帯型緊急通報装置をポケットやカバンや机の中に入れて携帯する場合、歩行や開閉等の際に、誤押防止具に他の携帯物品が当たっても、誤押防止具が容易に破れないため、スイッチの釦が押圧されない。
なお、緊急時には、誤押防止具を指で破って破壊すれば、スイッチの釦を指で押圧して通報することができる。
【００１２】
〔請求項３について〕
携帯型報知装置は、鍔部および細棒部からなるピン抜け防止具の細棒部が挿入可能な挿入孔をピンプラグ孔近傍の筐体面に設けている。そして、ピンプラグ孔へ絶縁ピンを嵌入した後に、細棒部を紐へ貫通させて挿入孔へ挿入し、鍔部で紐表面を押さえている。
【００１３】
緊急時には、紐を勢い良く引くと、鍔部下面が紐によって押されるので、細棒部が挿入孔からピン抜け防止具が外れ、絶縁ピンがピンプラグ孔から抜ける。なお、筐体面に直交する方向へ紐を引くと、ピン抜け防止具が外れ易い。
【００１４】
紐の先端に取り付けた絶縁ピンが、筐体に設けたピンプラグ孔から引き抜かれるので、ピンプラグ孔奥に配設したスイッチの電気接点が閉成して、筐体内から警報音が発せられる。
【００１５】
携帯型報知装置は、紐を勢い良く引いてピン抜け防止具を外さないと、絶縁ピンがピンプラグ孔から引き抜かれないので、緊急時以外のスイッチの電気接点の閉成を防止でき、誤作動を防ぐことができる。
携帯型報知装置をポケットやカバンや机の中に入れて携帯する場合、歩行や開閉等の際に、紐に他の携帯物品が絡んでも、ピン抜け防止具が容易に外れないため、絶縁ピンの抜けが防止できる。
なお、緊急時には、紐を勢い良く引けば、ピン抜け防止具が外れて、絶縁ピンがピンプラグ孔から引き抜かれるため、スイッチの電気接点が閉成して警報音が出る。
【００１６】
〔請求項４について〕
携帯型報知装置は、溝開口が紐より小さい台形凹溝をピンプラグ孔近傍の筐体面に設け、ピンプラグ孔へ絶縁ピンを嵌入した後に、台形凹溝内へ紐を通して挟持させている。
【００１７】
緊急時には、紐後端を手で持って勢い良く引くと、台形凹溝内の紐が溝開口から出て来るので、絶縁ピンがピンプラグ孔から抜け、ピンプラグ孔奥に配設したスイッチの電気接点が閉成して、筐体内から警報音が発せられる。なお、筐体面に直交する方向へ紐を引くと、台形凹溝内の紐が溝開口から出易い。
【００１８】
携帯型報知装置をポケットやカバンや机の中に入れて携帯する場合、歩行や開閉等の際に、他の携帯物品が紐に絡んでも、台形凹溝内の紐が溝開口から容易に出て来ないので、絶縁ピンの抜けを防止することができ、誤作動を防ぐことができる。
なお、緊急時には、紐を勢い良く引けば、台形凹溝内の紐が溝開口から出て、絶縁ピンがピンプラグ孔から引き抜かれるため、スイッチの電気接点が閉成して警報音が出る。
【００１９】
〔請求項５について〕
携帯型報知装置は、ピンプラグ孔へ絶縁ピンを嵌入した後に、紐を筐体表面へ臨ませた状態で、粘着シートにより紐を筐体表面へ固定している。
そして、緊急時には、紐を勢い良く引くと、粘着シートの下面が紐によって押されるので粘着シートが筐体表面から剥がれ、絶縁ピンがピンプラグ孔から抜ける。なお、筐体面に直交する方向へ紐を引くと、粘着シートが剥がれ易い。
【００２０】
携帯型報知装置をポケットやカバンや机の中に入れて携帯する場合、歩行や開閉等の際に、他の携帯物品が紐に絡んでも、粘着シートが筐体表面から剥がれないので、絶縁ピンの抜けを防止することができ、誤作動を防ぐことができる。
なお、緊急時には、紐を勢い良く引けば、粘着シートが筐体表面から剥がれ、絶縁ピンがピンプラグ孔から引き抜かれるため、スイッチの電気接点が閉成して警報音が出る。
【考案を実施するための最良の形態】
【００２１】
防犯ブザーは、筐体の外壁の一部を窪ませ、この窪みの奥に釦が臨む様にスイッチを筐体内へ配設している。そして、指の押下で破ることができる紙製の誤押防止膜の下面縁を、窪み近傍の筐体表面に接着して窪みを塞いでいる。
【００２２】
所有者が、痴漢、ひったくり、暴漢等に遭遇した場合（緊急時）には、窪み内へ指を入れて押下し、誤押防止具を破って破壊し、スイッチの釦を指で押圧する。これにより、スイッチの電気接点が閉成するため、大きな警報音が筐体から発せられる。
なお、スイッチの釦から指を離しても警報音が鳴り続けるのが、危機を回避するのに有効であるので、指を離しても電気接点が閉成状態を維持する構造にするか、自己保持形の回路を採用するのが好適である。
【００２３】
防犯ブザーは、誤押防止膜を指で破らないとスイッチの釦が押せないため、緊急時以外にスイッチの電気接点が閉成し難く、誤作動を防止できる。
防犯ブザーをポケット等に入れて携帯する場合、歩行等の際に、誤押防止具に他の携帯物品が当たっても、誤押防止膜が容易に破れないため、スイッチの釦が押圧されない。
【実施例１】
【００２４】
本考案の実施例１（請求項１、２に対応）を図１に基づいて説明する。
防犯ブザーＡは、筐体１の外壁の下部に円錐状の凹部１１を形成し、この凹部１１の奥に釦２１が臨む様にスイッチ２を筐体内へ配設している。そして、指３の押下で破ることができる紙製の誤押防止膜４の下面縁４１を、凹部１１近傍の筐体表面に接着して凹部１１を塞いでいる。
【００２５】
筐体１は、プラスチック製であり、角を丸めた直方体形状を呈する。１２はブザー１３が鳴動するピーポー音を外部に放音するための連通穴である。また、１４は釦２１から指３が離れてもピーポー音を鳴らし続けるための回路基板、１５は回路基板１４およびブザー１３へ作動用電力を供給するための電池である。
凹部１は、筐体表面から凹部底までの距離が３ｍｍであり、親指が入る大きさに形成されている。
【００２６】
スイッチ２は、釦２１を押圧荷重８００ｇ以上で押下すると、電気接点が閉成する常開形の押しボタンスイッチである。
【００２７】
誤押防止膜４は、破壊強度が１．２ｋｇの紙製の円形シールであり、下面縁４１を凹部１１近傍の筐体表面に接着して凹部１１の開口を塞いでいる。
【００２８】
この防犯ブザーＡは、誤押防止膜４を指で破って破壊しないとスイッチ２の釦２１が押せないため、緊急時以外にスイッチ２の電気接点が閉成し難く、誤作動を防止できる。
防犯ブザーＡをポケット等に入れて携帯する場合、歩行等の際に、誤押防止膜４に口紅１６等の携帯物品が当たっても、誤押防止膜４が容易に破れないため、スイッチ２の釦２１が押圧されない。
なお、緊急時には、誤押防止膜４を指３で破って破壊すれば、スイッチ２の釦２１を指で押圧し、ブザー１３を鳴動させてピーポー音を外部に放音することができる。
【実施例２】
【００２９】
つぎに、本考案の実施例２（請求項１、２に対応）を図２に基づいて説明する。
防犯ブザーＢは、筐体１の外壁の下部に円錐状の凹部１１を形成し、この凹部１１の奥に釦２１が臨む様にスイッチ２を筐体内へ配設している。そして、指３の押下で破ることができるゴム製の誤押防止膜４の下面縁４１を、凹部１１近傍の筐体表面に接着して凹部１１を塞いでいる。
【００３０】
筐体１は、プラスチック製であり、外形が卵形形状を呈する。１２はブザー１３が鳴動するピーポー音を外部に放音するための連通穴であり、１５はブザー１３へ作動用電力を供給するための電池である。
凹部１は、筐体表面から凹部底までの距離が３ｍｍであり、親指が入る大きさに形成されている。
【００３１】
スイッチ２は、釦２１を押圧荷重５００ｇ以上で押下すると、電気接点が閉成状態に変移するロック式の押しボタンスイッチである。
【００３２】
誤押防止膜４は、破壊強度が１．０ｋｇのゴム製の円形シートであり、下面縁４１を凹部１１近傍の筐体表面に接着して凹部１１の開口を塞いでいる。
【００３３】
この防犯ブザーＢは、誤押防止膜４を指で破って破壊しないとスイッチ２の釦２１が押せないため、緊急時以外にスイッチ２の電気接点が閉成状態になり難く、誤作動を防止できる。
防犯ブザーＢをポケット等に入れて携帯する場合、歩行等の際に、誤押防止膜４に口紅１６等の携帯物品が当たっても、誤押防止膜４が容易に破れないため、スイッチ２の釦２１が押圧されない。
なお、緊急時には、誤押防止膜４を指で破って破壊すれば、スイッチ２の釦２１を指で押圧し、ブザー１３を鳴動させてピーポー音を外部に放音することができる。
【実施例３】
【００３４】
本考案の実施例３（請求項３に対応）を図３に基づいて説明する。
防犯ブザーＣは、筐体１の最も小面積の端面１７に断面長方形のピンプラグ孔１８を設け、ピンプラグ孔１８奥の筐体１内に電気接点２２、２３を配設している。
筐体１は、プラスチック製であり、角を丸めた直方体形状を呈する。１２はブザー１３が鳴動する鳴動音を外部に放音するための連通穴であり、１５はブザー１３へ作動用電力を供給するための電池である。
【００３５】
この防犯ブザーＣは、平たい紐５の先端に取り付けた断面長方形の柱状の絶縁ピン５１をピンプラグ孔１８から引き抜く（引っ張り荷重５００ｇ以上）と、電気接点２２、２３が閉成して、ブザー１３が鳴動して鳴動音が外部に放音する構造である。
【００３６】
鍔部６１および細棒部６２からなるピン抜け防止具６の細棒部６２が挿入可能な挿入孔１９をピンプラグ孔１８近傍の筐体１に設けている。そして、ピンプラグ孔１８へ絶縁ピン５１を嵌入した後に、細棒部６２を紐５へ貫通させて挿入孔１９へ挿入し、鍔部６１で平たい紐表面５２を押さえている。これにより、引っ張り荷重が１ｋｇに倍増している
【００３７】
この防犯ブザーＣは、紐５を勢い良く引いて（引っ張り荷重１ｋｇ以上）ピン抜け防止具６を外さないと、絶縁ピン５１がピンプラグ孔１８から引き抜かれないので、緊急時以外に電気接点２２、２３が導通状態になることを防止でき、誤作動を防ぐことができる。  防犯ブザーＣはをポケットやカバンや机の中に入れて携帯する場合、歩行や開閉等の際に、紐５に他の携帯物品が絡んでも、ピン抜け防止具６が容易に外れないため、絶縁ピン５１の抜けが防止できる。
【００３８】
緊急時には、引っ張り荷重１ｋｇ以上で紐５を勢い良く引くと、鍔部６１の下面が紐５によって押されるので、細棒部６２が挿入孔１９から抜けてピン抜け防止具６が外れ、絶縁ピン５１がピンプラグ孔１８から抜ける。なお、端面１７に直交する方向へ紐５を引くのが好適である。
絶縁ピン５１がピンプラグ孔１８から引き抜かれると、電気接点２２、２３が導通状態になってブザー１３が鳴動し、鳴動音が外部に放音する。
【実施例４】
【００３９】
本考案の実施例４（請求項５に対応）を図４に基づいて説明する。
本実施例の防犯ブザーＤは、筐体１の最も小面積の端面１７に断面円形のピンプラグ孔１８ａを設け、ピンプラグ１８ａ孔奥の筐体１内に電気接点２２、２３を配設している。そして、ピンプラグ孔１８ａへ絶縁ピン５１ａを嵌入した後に、紐５を筐体表面へ臨ませた状態にして、面状ファスナー６３、６４より平たい紐５を筐体表面へ固定している。
【００４０】
この防犯ブザーＤは、紐５の先端に取り付けた円柱状の絶縁ピン５１ａを筐体に設けたピンプラグ孔１８ａから引き抜くと、ピンプラグ孔１８ａ奥に配設した電気接点２３、２４が導通して、筐体内から鳴動音を外部に放音するタイプである。
【００４１】
この防犯ブザーＤは、紐５を勢い良く引いて（引っ張り荷重１．５ｋｇ以上）、面状ファスナー６４を面状ファスナー６３から剥がさないと、絶縁ピン５１ａがピンプラグ孔１８ａから引き抜かれないので、緊急時以外に電気接点２２、２３が導通状態になることを防止できる。
防犯ブザーＤをポケットやカバンや机の中に入れて携帯する場合、歩行や開閉等の際に、紐５に他の携帯物品が絡んでも絶縁ピン５１ａが容易に抜けないので、誤作動が防止できる。
【実施例５】
【００４２】
本考案の実施例５（請求項４に対応）を図５に基づいて説明する。
本実施例の防犯ブザーＥは、平たい紐５の先端に取り付けた直方体形状の絶縁ピン５３を筐体７に設けたピンプラグ孔７１から引き抜く（台形凹溝７２無しでは引っ張り荷重１．０ｋｇ以上）と、ピンプラグ孔７１奥に配設したスイッチの電気接点が閉成して、筐体７から鳴動音を発するタイプである。
【００４３】
この防犯ブザーＥは、溝開口が紐５より小さい台形凹溝７２をピンプラグ孔７１近傍の筐体面に設けている。そして、ピンプラグ孔７１へ絶縁ピン５３を嵌入した後に、台形凹溝７２内へ紐５を通して挟持させている。
【００４４】
緊急時には、紐５後端を手で持って勢い良く引く（引っ張り荷重１．５ｋｇ以上）と、台形凹溝７２内の紐５が溝開口から出て来るので、絶縁ピン５３がピンプラグ孔７１から抜け、ピンプラグ孔７１奥に配設したスイッチの電気接点が閉成して、筐体７内から鳴動音が発せられる。なお、筐体面に直交する方向へ紐を引くのが好ましい。
【００４５】
防犯ブザーＥをポケットやカバンや机の中に入れて携帯する場合、歩行や開閉等の際に、他の携帯物品が紐５に絡んでも、台形凹溝７２内の紐５が溝開口から容易に出て来ないので、絶縁ピン５３の抜けを防止することができ、誤作動を防ぐことができる。
【実施例６】
【００４６】
本考案の実施例６（請求項４に対応）を図６に基づいて説明する。
本実施例の防犯ブザーＦは、平たい紐５の先端に取り付けた直方体形状の絶縁ピン５３を筐体７に設けたピンプラグ孔７１から引く抜く（台形凹溝７２、７３無しでは引っ張り荷重１．０ｋｇ以上）と、ピンプラグ孔７１奥に配設したスイッチの電気接点が閉成して、筐体７から鳴動音を発するタイプである。
【００４７】
この防犯ブザーＦは、溝開口が紐５より小さい台形凹溝７２、７３をピンプラグ孔７１近傍の筐体面に設けている。そして、ピンプラグ孔７１へ絶縁ピン５３を嵌入した後に、台形凹溝７２、７３内へ紐５を通して挟持させている。
【００４８】
緊急時には、紐５後端を手で持って勢い良く引く（引っ張り荷重２．０ｋｇ以上）と、台形凹溝７２、７３内の紐５が溝開口から出て来るので、絶縁ピン５３がピンプラグ孔７１から抜け、ピンプラグ孔７１奥に配設したスイッチの電気接点が閉成して、筐体７内から鳴動音が発せられる。
【００４９】
防犯ブザーＦをポケットやカバンや机の中に入れて携帯する場合、歩行や開閉等の際に、他の携帯物品が紐５に絡んでも、台形凹溝７２、７３内の紐５が溝開口から容易に出て来ないので、絶縁ピン５３の抜けを防止することができ、誤作動を防ぐことができる。
【実施例７】
【００５０】
本考案の実施例７（請求項５に対応）を図７に基づいて説明する。
本実施例の防犯ブザーＧは、筐体１の最も小面積の端面１７にピンプラグ孔１８ａを設け、ピンプラグ１８ａ孔奥の筐体１内に電気接点２２、２３を配設している。そして、ピンプラグ孔１８ａへ絶縁ピン５１を嵌入した後に、紐５を筐体表面へ臨ませた状態にして、粘着シール紙６５により平たい紐５を筐体表面へ固定している。
【００５１】
この防犯ブザーＧは、紐５の先端に取り付けた絶縁ピン５１を筐体に設けたピンプラグ孔１８ａから引き抜く（粘着シール６５無しでは引っ張り荷重１．０ｋｇ以上）と、ピンプラグ孔１８ａ奥に配設した電気接点２２、２３が導通して、筐体内から鳴動音を外部に放音するタイプである。
【００５２】
この防犯ブザーＧは、紐５を勢い良く引いて（引っ張り荷重２．０ｋｇ以上）粘着シール紙６５を剥がさないと、絶縁ピン５１がピンプラグ孔１８ａから引き抜かれないので、緊急時以外に電気接点２２、２３が導通状態になることを防止できる。
防犯ブザーＧはをポケットやカバンや机の中に入れて携帯する場合、歩行や開閉等の際に、紐５に他の携帯物品が絡んでも絶縁ピン５１が容易に抜けないので、誤作動が防止できる。
なお、図８の様に、絶縁ピンの先方に抜け防止用のストッパを取り付けて、紐を引いた際に、絶縁ピンがピンプラグ孔から抜け落ちない様にしても良い。
【図面の簡単な説明】
【００５３】
【図１】（ａ）、（ｂ）は、本考案の実施例１にかかる防犯ブザーの説明図であり、（ａ）は誤押防止膜に口紅等の携帯物品が当たった場合の上面図、および誤押防止膜に口紅等の携帯物品が当たった場合の側面を部分破断させた側面図であり、（ｂ）は誤押防止膜を指で押して破った場合の上面図、および誤押防止膜を指で押して破った場合の側面を部分破断させた側面図である。
【図２】（ａ）、（ｂ）は、本考案の実施例２にかかる防犯ブザーの説明図であり、（ａ）は誤押防止膜に口紅等の携帯物品が当たった場合の上面図、および誤押防止膜に口紅等の携帯物品が当たった場合の側面を部分破断させた側面図であり、（ｂ）は誤押防止膜を指で押して破った場合の上面図、および誤押防止膜を指で押して破った場合の側面を部分破断させた側面図である。
【図３】（ａ）は本考案の実施例３にかかる防犯ブザーの上面図および側面図であり、（ｂ）はその防犯ブザーのピンプラグ孔の断面図であり、（ｃ）はその防犯ブザーの絶縁ピン説明図である。
【図４】（ａ）は本考案の実施例４にかかる防犯ブザーの上面図および側面図であり、（ｂ）はその防犯ブザーのピンプラグ孔の断面図であり、（ｃ）はその防犯ブザーの面状ファスナー部分の説明図である。
【図５】（ａ）は本考案の実施例５にかかる防犯ブザーの上面図（紐付、紐無）および側面図（紐付）であり、（ｂ）はその防犯ブザーの台形凹溝および紐が付いた絶縁ピンの説明図である。
【図６】本考案の実施例６にかかる防犯ブザーの斜視図（紐付）、側面図（紐無し）、紐が付いた絶縁ピンの説明図、防犯ブザーの側面図（紐付）である。
【図７】（ａ）は本考案の実施例７にかかる防犯ブザーの斜視図と側面図、絶縁ピンと粘着シール紙を取り付けた紐の説明図、およびその防犯ブザーのピンプラグ孔の断面図である。
【図８】変形例に係る防犯ブザーの説明図である。
【符号の説明】
【００５４】
Ａ、Ｂ、Ｃ、Ｄ、Ｅ、Ｆ、Ｇ  防犯ブザー（携帯型緊急通報装置）
１、６、７  筐体
２  スイッチ
３  指
４  誤押防止膜（誤押防止具）
５  紐
６  抜け防止具
１１  凹部（窪み）
１８、１８ａ  ピンプラグ孔
２１  釦
２２、２３  電気接点
４１  下面縁
５１、５１ａ  絶縁ピン
５２  鍔表面
５３  絶縁ピン
６１  細棒部
６２  鍔部
６３、６４  面状ファスナー（粘着シート）
６５  粘着シール紙（粘着シート）
７１  ピンプラグ孔
７２、７３  台形凹溝
【図１】
0003141271.tif 000003
【図２】
0003141271.tif 000004
【図３】
0003141271.tif 000005
【図４】
0003141271.tif 000006
【図５】
0003141271.tif 000007
【図６】
0003141271.tif 000008
【図７】
0003141271.tif 000009
【図８】
0003141271.tif 000010